(57)【要約】      （修正有）【課題】  ペットボトル本体内に内容物が充填されているときに比し、実質的にその縦幅（高さ）が縮小できるペットボトルを製造する方法を提供する。【解決手段】  上端部の飲み口部と、飲み口部の高さ方向の幅と、底部の高さ方向の幅とを除いて、高さ方向の一部或いは全部が水平方向の蛇腹状となっているペットボトル本体であって、蛇腹状を形成する各襞の縦断面形状は、その上面が略真直で下面は下方に湾曲している。【選択図】  図１
2007055645.tif 000002
【特許請求の範囲】
【請求項１】
ペット樹脂のような可撓性ある樹脂材料で造られ、上端に飲み口部を有し側面周囲を水平方向或いは斜方向の蛇腹状としたペットボトル本体にあって、該蛇腹状を形成する各襞の縦断面形状は、その上面が略真直で下面は下方に湾曲していることが特徴の縦方向に伸縮できるペットボトル
【請求項２】
上請求項１に示した蛇腹状を構成する谷部を、該谷部よりさらにペットボトル本体の軸線方向に突出させて環状の窪みを設けたことが特徴の縦方向に伸縮できるペットボトル
【発明の詳細な説明】
【技術分野】
【０００１】
本発明は一般的にペット樹脂ブローなどと呼ばれているブロー成形方法を用いて、ジュースやミネラルウォーターのペットボトルを造型するものであり、特に内容物が充填されているときと、空のときでは高さが異なる縦方向に伸縮できるペットボトルに関する。
【背景技術】
【０００２】
合成樹脂ボトルの生産量は、近年膨大なものになっている。
【０００３】
しかし、ペットボトル本体内のジュースやミネラルウォーターを飲み干して、該ペットボトル本体を破棄する時、飲み干す以前の形状の儘であり、これを所謂ゴミ箱に破棄する場合は、まるで空気をゴミ箱に捨てたような状態ですぐ満杯となり、あげくは路上に破棄され、生活環境を悪化させる最大の欠点があり、加えてそれは飲み干されたペットボトル本体の回収費や、清掃の為の人件費は公共事業の大きな負担となっているのである。
【０００４】
またこの種合成樹脂ボトルは、それをブロー成形など手軽な手段で製造できる反面、激しい振動を伴う自動車やその他の搬送手段や、積み重ねられる店頭での展示の際の、振動に対応できる強度が未だ充分とは言えないものがあった。
【０００５】
さらにこの事は、ペットボトルを製造する業者からジュースやミネラルウォーターなどを充填する会社に搬送する際も、当該ペットボトル本体が嵩ばってまるで空気を搬送しているような状態で、製品の搬送費にかかる割合は相当なものとなっていたのである。
【０００６】
そこで本願発明者は先に液体ペットボトルの廃品を回収するに当たって、そのペットボトルを簡単に縮小することができるように工夫した液体ペットボトルを提供した。
【０００７】
これは比較的軟質の合成樹脂で作られ、上端に口部をもった液体ペットボトル本体の周襞を蛇腹状としたことである。（特許文献１参照）
【０００８】
また、これに加えペットボトル本体の垂直方向及び／あるいは捩り方向に負荷を与えることによって、実質的にその容積が縮小するような形状としたこと、およびこの縮小された形状を保持する手段とペットボトル本体の発明（特許文献２参照）を提唱した。
【０００９】
この結果いずれも上記目的即ち、ペットボトル本体を押し潰した際その高さ、及びペットボトルをより縮小させその状態を保たせるに充分対処できたのである。このように高さ方向で伸縮できるボトルは、その成型工場から内容物の充填工場に縮小させて多量に一度に搬送するのに便利であり、飲み干したあとのゴミ箱での収容量を飛躍的に向上させかつ処理工場に搬送する絶対量を可及的に多くできる利点がある。
【００１０】
しかし乍らこのことにとどまらず、ジュースなどの内容物をたとえば海岸などで寝そべった状態で飲むときは、ペットボトルそれ自身の垂直軸を湾曲させることができれば便利であり、また飲むのを途中でやめた場合は、その飲み終えた部分だけ縮小できれば、従来その高さ容量を変更できなかったのと異なり、ハンドバックなどに容易に収容できるから、その携行が頗る便利となることが考えられる。
【００１１】
このようなボトルは一見その外観形状を蛇腹状とすることで解決したかのようであるが、実際の比較的薄い合成樹脂製材料の、しかも近時「安価」でしかも比較的強靭な材料である所謂ペット樹脂では、度重なる伸縮動作の結果、蛇腹状を構成する特に山部や谷部が折れたり、破れたり、傷が生じたり、あるいは縮んだ状態を保つことなく、元の状態となろうとする復元力が働くなどの結果、所謂ペットボトル樹脂で蛇腹状ペットボトルを作ることは不可能とさえ言われていたのである。
【００１２】
【特許文献１】特開２００１−２１３４１８（要約書）
【特許文献２】特開２００２−６８１５６  （要約書）
【発明の開示】
【発明が解決しようとする課題】
【００１３】
総じて本発明の目的は、ペットボトル本体内に内容物が充填されているときに比し、実質的にその縦幅（高さ）が縮小できる縦方向に伸縮できるペットボトルを製造する方法を提供することにある。
【００１４】
他の目的は、このペットボトル本体の成型工場から、ミネラルウォーターやジュースを充填する工場への搬送時は、その高さ(容積)を頗る縮小させ、同工場で再び正規の容量，高さのペットボトル本体となす縦方向に伸縮できるペットボトルを提供することにある。
【００１５】
他の目的は、ペットボトル本体内のジュースやミネラルウォーターを飲み干して、該ペットボトル本体を破棄する時、幼児やお年寄りでも簡単に当該ペットボトル本体の容積（高さ）を頗る小さくすることが出来るようにした縦方向に伸縮できるペットボトルを提供することにある。
【００１６】
他に本発明の目的は、当該ペットボトル本体が持ち易く、その表面に結露などが発生しても、滑り落すようなことのない形状の縦方向に伸縮できるペットボトルを提供することにあり、他に本発明の目的は当該ペットボトル本体の内容物を飲む途中にあって空になった部分の縦幅を縮小できるようにしたことである
【００１７】
他に本発明の目的は、従来飲み干された空のペットボトルはそのままの縦幅(高さ)の状態で捨てられ、すぐゴミ箱が満杯になって収容しきれなくなったのに比し、その収容個数を従来の商品と比べさらに頗る増大させたことであり、このことは同時に空のペットボトル本体の搬送を同時に多量に成し得るから、その運送量や回収費や清掃回収のための人件費を、頗る軽減させることができるようにしたことである。
【００１８】
また、かかるペットボトル本体はこれを多量に安価に製造するのに適し、しかも蛇腹部分及び各蛇腹を構成する各襞の形成が確実でその結果、当該ペットボトル本体を潰したとき、その潰された状態を保つことができるようにした縦方向に伸縮できるペットボトルを提供することができたのである。
【００１９】
而して本発明の特徴は上端部の飲み口部の縦幅を除いて、縦方向の一部或いは全部が水平方向の蛇腹状となっているペットボトル本体にあって、その製造過程にあっては内容物が充填されている時の縦幅(高さ、容積)より実質的に低い状態で成型されたペットボトルであって、かかるペットボトルはその製造工場から内容物を充填する工場に搬送する際その縦幅(高さ、容積が)実質的に縮小されているから従来の搬送量よりその量を頗る増大させ得たのである。
【００２０】
また本発明のペットボトルはその外周を蛇腹状としたから持ち易く、内容物を飲む際にたとえ外表面に所謂結露が発生しても滑って落すような虞れはないのである。
【００２１】
他に本発明の特徴としては、内容物を飲み干す等の動作でペットボトル本体に空白部が出来たとき、内容物が充填されていたときの高さより実質的に小容積で低い高さの状態とすることが出来るようにしたことである。
【００２２】
この結果このペットボトルに所謂「飲み残し」が生じた場合でも、これをハンドバックのような鞄に入れて携帯することが可能となり、かつ飲み終えて破棄する場合はこれを押し潰して、その容量、高さを頗る縮小させてからゴミ箱などに捨てられるので、従来のようにゴミ箱がすぐ満杯になることがなくなり、まるで空気を運ぶような運送，回収作業を飛躍的に改善できたのである。
【００２３】
具体的に本発明の特徴としては、ペット樹脂のような可撓性ある樹脂材料で造られ、上端に飲み口部を有し側面周囲を水平方向或いは斜方向の蛇腹状としたペットボトル本体にあって、該蛇腹状を形成する各襞の縦断面形状は、その上面が略真直で下面は下方に湾曲していることである。
【００２４】
この場合上記の蛇腹状を構成する谷部を、該谷部よりさらにペットボトル本体の軸線方向に突出させて環状の窪みを設けたこともその特徴である。
また他の特徴としては上記蛇腹状を形成する各襞うち最上段の襞の縦断面形状は、その上面が上方の湾曲し下面は真直あるいは上方に湾曲しており、かつ２段目以後の襞の縦断面形状は、その上面も下面も下方に湾曲していることである。
【発明の効果】
【００２５】
これら具体的な構造の発明の効果として、上記ペットボトル本体を押し潰そうとする力は蛇腹状部の上面に伝わり、該上面は直線状であるから当然のこと乍ら下面の湾曲状より長く、その分押し潰された上面はその内端が環状の窪みの上方を押圧する。その結果、かかる環状の窪みの中心位置は下方に回動（移動）する作用をなすのであって、それは各蛇腹状の上面と下面とを容易に重合させる作用力として働くことになるから、幼児や老人などの比較的少い力でも極く容易に本発明ペットボトル本体を折り畳んだ状態とすることが出来たのである。
【００２６】
また上記蛇腹状を構成する襞の谷部に、湾状の窪みを設けたものでありこの湾状の凹みの存在は、上記環状の窪みの作用を更に増長させるもので、それだけ本発明のペットボトル本体を伸縮される場合僅かな力で、それも各蛇腹状部が確実に重り合って、ペットボトル本体の高さを１／３〜１／８程度に縮小できるようになったのである。
【００２７】
なお本発明にはその他に優れた発明の目的、特徴、作用効果を有するが、これらは以下の実施例の説明で明らかにする。
【００２８】
即ち図１で（１）はペットボトル本体で、上端部の飲み口部を除いたその高さ（長さ）方向の外周と内周は蛇腹状（２）となっている。
【００２９】
図９と１０では上記ペットボトル本体（１）内の、仮令えばミネラルウォーターを未だ充填していない時、あるいは飲み干してから高さ（長さ）方向にその一方からあるいは両方から押し潰した状態を示した。
【００３０】
即ち本発明はこのようなペットボトル本体（１）を押し潰した状態とするため及び潰れた状態を保つため秀れた構成を有し、秀れた作用を発揮するのである。
【００３１】
具体的に本発明の最良の実施例としては、ペット樹脂のような可撓性ある樹脂材料で造られ、上端に飲み口部（３）を有し側面周囲を水平方向の蛇腹状（２）としたペットボトル本体（１）にあって、該蛇腹状を形成する各襞（４）の縦断面形状は、図１のサークル部分（ａ）を拡大した図３および図５でも分るように、その上面（５）が略真直で下面（６）は下方に湾曲させていることである。
【００３２】
この場合上記の蛇腹状を構成する谷部（７）を、谷部（７）その侭の形とした、ものが図１であり、該谷部（７）よりさらにペットボトル本体（１）の軸線方向に突出させて環状の窪み（８）を設けたことは図２で示した。また図２のサークル（ａ’）部分を拡大したのは図４および図５で示した。
【００３３】
そのペットボトル本体（１）の構成の一例として図１（５００ミリリットルのペットボトル）でわかるように（３）は、その外周に雄ねじを刻設したペットボトル本体（１）の直径約２６ｍｍ，高さ２３ｍｍ程度の飲み口部で、その直下方は第１段目（最上段）の蛇腹状（２）の内端部と連接されている。
【００３４】
この場合上記各蛇腹状（２）を構成する各襞は、アダムスキー（Aｄａｍｓｋｉ）型と呼ばれる未確認飛行物体（ＵＦＯ）のような形状をしており、従って水平方向の上下に２分されたような形状となっている。
【００３５】
またその襞（４）の形状は、同図３あるいは４でみられるように、その上方の上面（５）は真っ直ぐで下面（６）は下方にかあるいはペットボトル本体（１）の内方向に緩く湾曲（図ではＲ４０）している。
【００３６】
而してこのペットボトル本体（１）を押し潰す際、図７のように飲み口部（３）あるいはペットボトル本体（１）の肩部を押すことになるが、この場合襞（４）の上面を真っ直ぐなものとしたから、この力は図８のように襞（４）の下面（６）を反転させる力として働きその結果、図９，図１０に示すようにペットボトル本体（１）を容易に折り畳むことができたのである。
【００３７】
また図２及び図６は、上述したように襞（４）の各谷部（７）に形成される窪み部（８）があり、襞（４）が最も潰れ易い形状となっている。この時この窪み部（８）をもつ形状の襞（４）を押し潰した場合上記窪み部（８）の長さ（ｌ）に対し、これが押し潰してもその長さは変わらないということが重要である。
【００３８】
即ち本発明のペットボトルは、これを成型工場からジュースなどの充填工場で引き伸ばし、ジュースなどを詰め、飲み終わったあと再び縮めて捨てるという作用が行えるという優れた特徴がある。いいかえれば、上記窪み部（８）の長さ（ｌ）が押されたり引き伸ばされたりする都度、その長さ（ｌ）が変化すると窪み部（８）が所謂老化し、正しい伸び縮みができなくなるからである。
【００３９】
また他の実施例として窪み部（８）の形状は、図１２に示すように該窪み部（８）の直後方にそれぞれが内方向に湾曲しているなだらかな湾曲部（９）を設けると、さらに襞（４）の折り曲げが容易で、しかもペットボトル本体（１）を伸ばしあるいは縮める作動時に窪み部（８）の形状が崩れない作用があることが判明している。
【００４０】
而して、図１２の一点鎖線で示す、潰されていない状態から潰す作用（b）が加わると、窪み部（８）の中心点（Ｃ）はなだらかな湾曲部（９）の存在で、下方即ち中心点は（Ｃ’）方向に移動する。この結果各襞（４）を図１１のように容易に折り畳ませることができたのである。
【００４１】
この外本発明のペットボトル本体（１）は度重なる実験で、その高さ（容積）が１／３乃至１／４以下となり、このペットボトル本体を成型工場から充填工場に運ぶときはその容量を小さく、充填工場では元の状態になる容積まで内容物を充填でき、飲んでいる際はそのペットボトル本体を湾曲させたり、その飲み量に応じて縮めさせられたり、かつ破棄するときはその容量を極少ない近い状態に縮めるなどの度々の伸縮作用や湾曲折り曲げ作用に耐えられる構造となっているのである。
【００４２】
以上述べたペットボトル本体（１）の本発明に於ける実施態様における主な効果は、ペットボトル本体を破棄する時、その容積を頗る小さくすることが出来るようにしたことであり、ゴミ箱などに収容できる個数を頗る増大させたことである。
【００４３】
またかかる縮小させたペットボトル本体は、その搬送量を同時に多量に成しできるから、その回収費や清掃回収の為の人件費を、頗る軽減できたことである。
【００４４】
さらに本発明のペットボトル本体は、その外観の形状の見栄えがよく、使用する者に多大な興味を持たせかつ、ペットボトル本体の蛇腹の形状が摩擦止めとなり、使用中にペットボトル本体が滑り落下させたり、あるいは内容物を溢出させたりする虞も未然に防止できるのである。
【００４５】
また本発明によって潰された状態のペットボトル本体といえどもその形状は意匠的に見栄えのよいもので、そのまま外のペットボトルとしても利用できるのである等々が知られている。
【００４６】
総して本発明の効果は上端部の飲み口部と、底部の小さい高さ方向の幅と、この飲み口部と高さ方向の幅とを除いて長手方向の全部或いは一部が水平方向の蛇腹状となしペットボトル本体に、該ペットボトル本体内のジュースやミネラルウォーターを飲み干して、該ペットボトル本体を破棄する時その容積を簡単な操作と少ない力で、幼児や老人でも頗る小さくすることが出来るペットボトルを簡単に大量に製造できるようにしたことである。
【図面の簡単な説明】
【００４７】
【図１】本発明ペットボトル本体全体の正面図
【図２】他の実施例のペットボトル本体全体の正面図
【図３】図１のａサークル部分の襞部の拡大図
【図４】図２のａ’サークル部分の襞部の拡大図
【図５】図１のａサークル部分の襞部のさらなる拡大図
【図６】図２のａ’サークル部分の襞部のさらなる拡大図
【図７】ペットボトルを折り畳んでいる状態の斜視図
【図８】同ペットボトルを折り畳んでいる状態の上部の断面図
【図９】同ペットボトルを折り畳んだ状態の断面図
【図１０】同他の実施例のペットボトルを折り畳んだ状態を示す断面図
【図１１】同他の実施例のペットボトルを折り畳む襞の状態，作用を示す断面図
【図１２】同他の実施例のトルを折り畳む窪み部の状態を示す断面図
【符号の説明】
【００４８】
ａａ’  サークル
ｂ      潰す作用
ｃｃ’  中心点
ｌ      長さ
１      ペットボトル本体
２      蛇腹状
３      飲み口部
４      襞部
５      上面
６      下面
７      谷部
８      窪み部
９      湾曲部
【図１】
2007055645.tif 000003
【図２】
2007055645.tif 000004
【図３】
2007055645.tif 000005
【図４】
2007055645.tif 000006
【図５】
2007055645.tif 000007
【図６】
2007055645.tif 000008
【図７】
2007055645.tif 000009
【図８】
2007055645.tif 000010
【図９】
2007055645.tif 000011
【図１０】
2007055645.tif 000012
【図１１】
2007055645.tif 000013
【図１２】
2007055645.tif 000014